(57)【要約】【課題】撮影者に与える違和感を軽減し、視認性を高めることのできるファインダ装置及びカメラを提供する。【解決手段】ファインダ装置３は、被写体を光学的に観察するための第１の光学系２０と、前記第１の光学系２０によって観察される光学像に対応する画像を表示可能な表示部２１と、前記表示部に表示された画像を前記第１の光学系の光路に導く第２の光学系２２と、を備え、前記光学像にあらわれる前記被写体と、前記画像にあらわれる前記被写体と、が重畳一致した状態に視認される。【選択図】図１
2014077812.tif 000002
【特許請求の範囲】
【請求項１】
被写体を光学的に観察するための第１の光学系と、
前記第１の光学系によって観察される光学像に対応する画像を表示可能な表示部と、
前記表示部に表示された画像を前記第１の光学系の光路に導く第２の光学系と、
を備え、
前記光学像にあらわれる前記被写体と、前記画像にあらわれる前記被写体と、が重畳一致した状態に視認されるファインダ装置。
【請求項２】
請求項１に記載のファインダ装置であって、
前記表示部を支持する支持部をさらに備え、
前記支持部は、前記第２の光学系の光軸と交差する基準面を有し、該基準面上において前記第２の光学系の光軸に対する前記表示部の位置及び姿勢を調整可能に支持するファインダ装置。
【請求項３】
請求項２に記載のファインダ装置であって、
前記支持部に取り付けられ、前記支持部に支持された前記表示部を保持する保持部材をさらに備え、
前記保持部材は、前記表示部を前記基準面に向けて弾性的に押圧する押圧部を有しているファインダ装置。
【請求項４】
請求項３に記載のファインダ装置であって、
前記表示部は、前記押圧部が接触する側に着脱可能なカバー部材を有しており、
前記カバー部材の表面に粘着層が設けられているファインダ装置。
【請求項５】
請求項３又は４に記載のファインダ装置であって、
前記保持部材と前記カバー部材とが接着固定されているファインダ装置。
【請求項６】
請求項１から５のいずれか一項に記載のファインダ装置と、
前記第１の光学系の視野とほぼ等しい範囲の画像を撮像する撮像部と、
を備え、
前記表示部は、前記撮像部によって撮像された画像を表示可能であるカメラ。
【請求項７】
請求項１に記載のファインダ装置の調整方法であって、
被写体を前記第１の光学系によって観察すると共に、前記第１の光学系によって観察される光学像に対応する画像を表示部に表示して前記光学像に前記画像を重畳させ、
前記画像にあらわれる前記被写体が前記光学像にあらわれる前記被写体に重畳一致するように、前記第２の光学系の光軸に対する前記表示部の位置及び姿勢を調整し、
調整された前記表示部を前記ファインダ装置に固定するファインダ装置の調整方法。
【請求項８】
請求項６に記載のカメラの調整方法であって、
被写体を前記撮像部によって撮像し、
撮像時における前記カメラと前記被写体との位置関係のもとで前記被写体を前記第１の光学系によって観察すると共に、撮像して得られた画像を前記表示部に表示して、前記第１の光学系によって観察される光学像に前記画像を重畳させ、
前記画像にあらわれる前記被写体が前記光学像にあらわれる前記被写体に重畳一致するように、前記第２の光学系の光軸に対する前記表示部の位置及び姿勢を調整し、
調整された前記表示部を前記ファインダ装置に固定するカメラの調整方法。
【発明の詳細な説明】
【技術分野】
【０００１】
本発明は、ファインダ装置及びファインダ装置を備えたカメラ、並びにそれらの調整方法に関する。
【背景技術】
【０００２】
デジタルスチルカメラやデジタルビデオカメラなどのカメラのファインダ装置として、被写体を光学的に観察する光学ビューファインダ（ＯＶＦ：Optical View Finder）と、被写体を撮像して得られた画像を液晶ディスプレイ（ＬＣＤ：Liquid Crystal Display）に表示して、これを観察する電子ビューファインダ（ＥＶＦ：Electric View Finder）とを備えた、いわゆるハイブリッドファインダ装置が知られている（例えば、特許文献１参照）。
【０００３】
上記のハイブリッドファインダ装置においては、例えば、ＯＶＦとＥＶＦとが切り換えられ、一方の像が選択的に観察される。また、ＯＶＦによる光学像にＥＶＦによる画像が重畳されて観察される場合もある。それにより、撮影者は、ファインダから目を離さずに、撮像画像をＥＶＦによって瞬時に確認することができる。
【先行技術文献】
【特許文献】
【０００４】
【特許文献１】特開２００３‐０７８７８５号公報
【発明の概要】
【発明が解決しようとする課題】
【０００５】
ＬＣＤの位置決め誤差や、ＬＣＤにおける表示パネルの位置のバラツキなどに起因して、ＯＶＦによる光学像とＥＶＦによる画像とが切り換えられる際に、観察される像にあらわれる被写体にずれが生じる場合がある。また、ＯＶＦによる光学像とＥＶＦによる画像とが重畳されて観察される場合にも、被写体の移動に関わらず、双方の像にあらわれる被写体の間でずれが生じる場合がある。かかる被写体のずれは、撮影者に違和感を与え、また、視認性を低下させる虞がある。
【０００６】
光学像の被写体に対する撮像画像の被写体のずれは、ＬＣＤに入力される画像信号を補正することで解消することができるが、表示する撮像画像のサイズよりも十分に大きいサイズの表示パネルが必要となる。また、被写体のずれが回転を伴う場合に、これを画像信号補正によって解消しようとすると、枠線等の水平・垂直方向の線が、表示パネルの水平・垂直方向のドット列に対して傾くために、ドットが目立ってしまい、やはり撮影者に違和感を与える虞がある。
【０００７】
本発明は、上述した事情に鑑みなされたものであり、撮影者に与える違和感を軽減し、視認性を高めることのできるファインダ装置及びカメラを提供することを目的としている。
【課題を解決するための手段】
【０００８】
（１）  被写体を光学的に観察するための第１の光学系と、前記第１の光学系によって観察される光学像に対応する画像を表示可能な表示部と、前記表示部に表示された画像を前記第１の光学系の光路に導く第２の光学系と、を備え、前記光学像にあらわれる前記被写体と、前記画像にあらわれる前記被写体と、が重畳一致した状態に視認されるファインダ装置。
（２）  上記（１）のファインダ装置と、前記第１の光学系の視野とほぼ等しい範囲の画像を撮像する撮像部と、を備え、前記表示部は、前記撮像部によって撮像された画像を表示可能であるカメラ。
【発明の効果】
【０００９】
本発明によれば、撮影者に与える違和感を軽減し、視認性を高めることができる。
【図面の簡単な説明】
【００１０】
【図１】本発明の実施形態を説明するための、ファインダ装置及びカメラの一例を模式的に示す図。
【図２】図１のファインダ装置を分解して示す図。
【図３】図１のファインダ装置の光学系を模式的に示す図。
【図４】図１のファインダ装置の遮光板の動作を模式的に示す図。
【図５】図１のファインダ装置の表示部及びこれを支持する支持部を示す図。
【図６】図１のファインダ装置の表示部の固定構造を示す図。
【図７】図１のカメラの調整方法を説明するための図。
【図８】図１のカメラの調整方法を説明するための図。
【発明を実施するための形態】
【００１１】
図１は、本発明の実施形態を説明するための、ファインダ装置及びカメラの一例を示す。
【００１２】
カメラ１は、撮像部２と、ファインダ装置３と、操作部４と、制御部５と、を備えている。
【００１３】
撮像部２は、ＣＣＤイメージセンサ１０と、このＣＣＤイメージセンサ１０の受光面に被写体の光学像を結像させる撮像光学系１１と、ＣＣＤイメージセンサ１０から出力される信号を処理して画像データを生成する信号処理回路１２と、信号処理回路１２によって生成された画像データを記憶する画像メモリ１３とで構成されている。
【００１４】
ファインダ装置３は、被写体を光学的に観察するための第１の光学系２０と、ＬＣＤ２１と、ＬＣＤ２１に表示された画像を第１の光学系２０の光路に導く第２の光学系２２と、で構成されている。
【００１５】
第１の光学系２０は、対物レンズ３０と、ファインダの視度を調整するための視度調整レンズ３１と、接眼レンズ３２とで構成されている。第１の光学系２０の視野範囲は、撮像部２の撮像光学系１１の視野範囲とほぼ等しい範囲とされている。また、第２の光学系２２は、ＬＣＤ２１の表示パネル２３に焦点を合わせるためのターゲットレンズ３３と、表示パネル２３に表示された画像を第１の光学系２０の光路に導くためのキューブ型のハーフミラー３４とで構成されている。第１の光学系２０によりＯＶＦが構成され、また、ＬＣＤ２１及び第２の光学系２２、並びに視度調整レンズ３１及び接眼レンズ３２によりＥＶＦが構成されている。
【００１６】
操作部４は、カメラ１の動作を指示し、また、各種の設定を行うためのものであって、例えば、撮像部２による撮像の指示や、ファインダ装置３におけるＯＶＦとＥＶＦとの切り替え若しく併用の設定がなされる。
【００１７】
制御部５は、操作部４における操作に応答して、カメラ１の各部を駆動し、設定を変更する。
【００１８】
図２は、ファインダ装置３を分解して示し、図３は、第１の光学系２０及び第２の光学系２２を示す。
【００１９】
ファインダ装置３は、第１の光学系２０、ＬＣＤ２１、及び第２の光学系２２が組み付けられるケース４０を有している。
【００２０】
第１の光学系２０を構成する対物レンズ３０、視度調整レンズ３１、及び接眼レンズ３２は、それらの光軸を互いに一致させた状態にケース４０に保持されている。図示の例において、第１の光学系２０の光軸Ｘはｘ軸方向に沿って配置される。
【００２１】
ケース４０には、第１の光学系２０の光軸と平行に延在する一対のガイド軸４１が設けられている。視度調整レンズ３１は、一対のガイド軸４１に支持されており、ケース４０の一方の側面部に設けられる視度調整ダイヤル７１の回転操作に連動して、一対のガイド軸４１に沿って前後移動される。それにより、ファインダの視度が調整される。
【００２２】
第２の光学系２２を構成するハーフミラー３４は、対物レンズ３０と視度調整レンズ３１との間に配置されて、ケース４０に保持されている。そして、第２の光学系２２を構成するターゲットレンズ３３は、第１の光学系２０の光軸Ｘと交差する方向（図示の例においては、ｘ方向に延びる第１の光学系２０の光軸Ｘに直交するｙ方向）からハーフミラー３４を臨む位置に配置されて、ケース４０に保持されている。第２の光学系２２の光軸Ｙは、ハーフミラー３４において第１の光学系２０の光軸Ｘに交差する。
【００２３】
ＬＣＤ２１は、第２の光学系２２の光軸Ｙの延長上に配置され、ケース４０には、ＬＣＤ２１を支持する支持部４２が設けられている。詳細は後述するが、支持部４２は、光軸Ｙと直交する基準面を有しており、ＬＣＤ２１は、この基準面上において光軸Ｙに対する位置及び姿勢を調整可能に支持部４２に支持される。そして、支持部４２には保持部材４３が取付けられ、ＬＣＤ２１は、支持部４２の基準面と保持部材４３とによって挟まれて保持されている。
【００２４】
対物レンズ３０に入射した光は、第１の光学系２０の光軸Ｘに沿って進み、ハーフミラー３４及び視度調整レンズ３１を透過して、接眼レンズ３２から出射される。また、ＬＣＤ２１の表示パネル２３から出射された光は、第２の光学系２２の光軸Ｙに沿って進み、ターゲットレンズ３３を透過してハーフミラー３４に入射し、ハーフミラー３４によって第１の光学系２０の光軸Ｘに沿う方向に反射されて第１の光学系２０の光路内に導かれる。そして、視度調整レンズ３１を透過して、接眼レンズ３２から出射される。以上により、ＯＶＦによる光学像、及びＥＶＦによる画像が、接眼レンズ３２を覗く撮影者によって観察される。
【００２５】
ファインダ装置３は、対物レンズ３０への光の入射を遮るための遮光板５０と、対物レンズ３０を露呈させ、また隠蔽するように遮光板５０を移動させる駆動機構と、を更に有している。
【００２６】
対物レンズ３０を保持しているケース４０の前壁部４６には、所定の方向（図示の例ではｚ方向）に延在する一対のガイド４７が設けられており、遮光板５０は、これら一対のガイド４７の間で前壁部４６上に配置され、ガイド４７に沿って前後移動可能に支持されている。前壁部４６には保持板５６が取り付けられ、遮光板５０は、この保持板５６と前壁部４６との間に挟まれて保持される。
【００２７】
駆動機構は、レバー５１と、レバー５１を回動させるためのモータ５２とで構成されている。レバー５１は、モータ５２に連結された回動軸５３と、回動軸５３から離間した位置に設けられた係合ピン５４とを有している。遮光板５０には、その移動方向と交差する方向（図示の例においてはｙ方向）に延在する長孔５５が形成されており、レバー５１の係合ピン５４は、長孔５５内において長孔５５の延在方向に移動可能に、長孔５５に係合している。
【００２８】
図４を参照して、駆動機構及び遮光板５０の動作について説明する。
【００２９】
レバー５１の係合ピン５４が、回動軸５３よりも上に位置し、かつ、遮光板５０の長孔５５の一端（図示の例においては左端）に位置している状態で、遮光板５０は、その移動範囲における上側に位置しており、対物レンズ３０は、遮光板５０によって隠蔽されている（ＦＩＧ．４Ａ）。
【００３０】
モータ５２が駆動されてレバー５１が回動するのに伴って、レバー５１の係合ピン５４は、回動軸５３を中心とする円弧軌道Ｃ上を移動する。その際、係合ピン５４は、長孔５５内をその延在方向にスライド移動しながら降下し、これに係合する遮光板５０もまた降下する（ＦＩＧ．４Ｂ）。
【００３１】
レバー５１の係合ピン５４が、回動軸５３よりも下に位置し、かつ、遮光板５０の長孔５５の一端に位置している状態で、遮光板５０は、その移動範囲における下側に位置しており、対物レンズ３０は、完全に露呈している（ＦＩＧ．４Ｃ）。
【００３２】
以上の遮光板５０の昇降動作は、制御部５によって制御される。例えば、操作部４においてＯＶＦによる光学像を観察するモードが選択された場合に、制御部５は、モータ５２を駆動して遮光板５０を降下させる。それにより、対物レンズ３０が露呈して第１の光学系２０に光が入射し、光学像が観察可能となる。また、ＥＶＦによる表示画像のみを観察するモードが選択された場合に、制御部５は、モータ５２を駆動して遮光板５０を上昇させる。それにより、対物レンズ３０が隠蔽されて第１の光学系２０への光の入射が遮られ、表示画像のみが観察可能となる。
【００３３】
次に、図５及び図６を参照して、ＬＣＤ２１の固定構造について説明する。
【００３４】
ＬＣＤ２１を支持するケース４０の支持部４２は、光軸Ｙと直交する基準面４８Ａが形成された底部４８と、ＬＣＤ２１を取り囲む周壁部４９とを有している。
【００３５】
光軸Ｙが交わる底部４８の領域には、ＬＣＤ２１の表示パネル２３よりも大きい開口を有する窓部４８Ｂが形成されており、ＬＣＤ２１は、表示パネル２３を窓部４８Ｂの開口に重ねて底部４８の基準面４８Ａ上に配置されている。この状態で、ＬＣＤ２１の外周と、周壁部４９の内周との間には隙間ｇが置かれる。この隙間ｇがあることによって、基準面４８Ａ上において光軸Ｙに対するＬＣＤ２１の位置及び姿勢（光軸Ｙまわりの回転）が調整可能となっている。
【００３６】
ＬＣＤ２１を保持する保持部材４３は、支持部４２の周壁部４９の開口側（底部４８とは反対側）の縁部に重ねられる枠部４４と、枠部４４から枠内に向けて延設された舌片状の押圧部４５とを有している。保持部材４３は、例えばステンレスなどの金属板で形成されており、押圧部４５は、弾性的に湾曲可能である。
【００３７】
押圧部４５は、ＬＣＤ２１に重なって配置され、ＬＣＤ２１を支持部４２の基準面４８Ａに向けて押圧する。それにより、ＬＣＤ２１は、基準面４８Ａと押圧部４５との間に挟まれて保持される。基準面４８Ａと押圧部４５との間に挟まれて保持されるＬＣＤ２１は、仮止めされた状態におかれる。
【００３８】
ＬＣＤ２１は、詳細は後述するが、上記の仮止めされた状態において、光軸Ｙに対する位置及び姿勢を調整される。ＬＣＤ２１の位置及び姿勢の調整が済んだ後、保持部材４３の押圧部４５とＬＣＤ２１、及び保持部材４３の枠部４４と支持部４２の周壁部４９とが接着剤７０によって接着される。それにより、ＬＣＤ２１は支持部４２に固定される。
【００３９】
ここで、ＬＣＤ２１は、保持部材４３の押圧部４５に対向する面をカバー部材２４によって覆われている。このカバー部材２４は、ＬＣＤ２１に着脱可能に取り付けられ、ＬＣＤ２１と一体とされている。そして、このカバー部材２４の表面には、例えば両面粘着テープ等によって形成される粘着層２５が設けられている。押圧部４５は、カバー部材２４の粘着層２５に接触し、また、カバー部材２４の粘着層２５に対して接着される。それにより、ＬＣＤ２１の調整が済んだ後であってＬＣＤ２１が支持部４２に固定される前に、例えば衝撃等が作用してＬＣＤ２１が変位してしまうことを防止することができる。また、押圧部４５が接着される粘着層２５が設けられたカバー部材２４は、ＬＣＤ２１に対して着脱可能であることから、カバー部材２４を取り外すことによってＬＣＤ２１を容易に分離することができ、ＬＣＤ２１の損壊を防止し、ＬＣＤ２１を再利用することができる。
【００４０】
次に、図７及び図８を参照して、ファインダ装置３の調整方法を説明する。
【００４１】
ファインダ装置３の調整は、第２の光学系２２の光軸Ｙに対するＬＣＤ２１の位置及び姿勢を調整するものであり、アライメント用の被写体８０を撮像し、また、ファインダ装置３によって被写体８０を観察して行われる。図示の例では、被写体８０として、その表面に十字のマークが描かれたチャートが用いられているが、これに限られるものではなく、像平面において離間した２つの基準点を規定できるものであればよい。
【００４２】
まず、被写体８０を、撮像部２によって撮像し、被写体８０の撮像画像データを生成する。生成された撮像画像データがＬＣＤ２１に表示されると、表示された撮像画像は、ＥＶＦ（ＬＣＤ２１、ターゲットレンズ３３、ハーフミラー３４、視度調整レンズ３１、及び接眼レンズ３２）によって観察される（ＩＦＧ．８Ａ）。
【００４３】
上記の撮像時におけるカメラ１と被写体８０との位置関係を保ったまま、被写体８０をＯＶＦ（対物レンズ３０、視度調整レンズ３１、接眼レンズ３２）によって観察する（ＦＩＧ．８Ｂ）。
【００４４】
そして、被写体８０の撮像画像データをＬＣＤ２１に表示させ、ＯＶＦによって観察される光学像に撮像画像を重畳する。第２の光学系２２の光軸Ｙに対するＬＣＤ２１の位置及び姿勢が不適切であると、ＯＶＦによって観察される光学像にあらわれる被写体８２と撮像画像にあらわれる被写体８１との間にずれが生じる（ＦＩＧ．８Ｃ）。
【００４５】
光学像の被写体８２と撮像画像の被写体８１との間にずれが生じている場合に、ＬＣＤ２１を支持する支持部４２の基準面４８Ａ上において、光軸Ｙに対するＬＣＤ２１の位置及び姿勢（光軸Ｙまわりの回転）を調整し、光学像の被写体８２に対して撮像画像の被写体８１を重畳一致させる（ＦＩＧ．８Ｄ）。
【００４６】
このように調整されたファインダ装置３によれば、ＯＶＦとＥＶＦとを切り換えた際に、観察される像にあらわれる被写体のずれを防止することができる。それにより、撮影者に与える違和感を軽減し、また、視認性を向上させることができる。更に、カメラ１において調整されたファインダ装置３は、撮像部２とファインダ装置３との視差に起因する被写体のずれも防止することができる。
【００４７】
以上、カメラ１におけるファインダ装置３の調整方法を説明したが、カメラ１の撮像部２によって被写体８０を撮像して得られる撮像画像データと等価な画像データを予め用意しておくことによって、ファインダ装置３単体であっても、その調整は可能である。
【００４８】
具体的には、カメラ１の撮像部２によって被写体８０を撮像して被写体８０の撮像画像データを予め用意しておく。そして、上記の撮像時におけるカメラ１と被写体８０との位置関係におけるファインダ装置３と被写体８０との位置関係を、ファインダ装置３単体で再現し、被写体８０をＯＶＦによって観察する。そして、被写体８０の撮像画像データをＬＣＤ２１に表示させ、ＯＶＦによって観察される光学像に撮像画像を重畳させる。そして、ＬＣＤ２１を支持する支持部４２の基準面４８Ａ上において、光軸Ｙに対するＬＣＤ２１の位置及び姿勢（光軸Ｙまわりの回転）を調整し、光学像にあらわれる被写体８２に対して、撮像画像にあらわれる被写体８１を一致させる。
【００４９】
以上、説明した通り、本明細書には、下記（１）〜（５）のファインダ装置が開示されている。
【００５０】
（１）  被写体を光学的に観察するための第１の光学系と、前記第１の光学系によって観察される光学像に対応する画像を表示可能な表示部と、前記表示部に表示された画像を前記第１の光学系の光路に導く第２の光学系と、を備え、前記光学像にあらわれる前記被写体と、前記画像にあらわれる前記被写体と、が重畳一致した状態に視認されるファインダ装置。
（２）  上記（１）のファインダ装置であって、前記表示部を支持する支持部を更に備え、前記支持部は、前記第２の光学系の光軸と交差する基準面を有し、該基準面上において前記第２の光学系の光軸に対する前記表示部の位置及び姿勢を調整可能に支持するファインダ装置。
（３）  上記（２）のファインダ装置であって、前記支持部に取り付けられ、前記支持部に支持された前記表示部を保持する保持部材を更に備え、前記保持部材は、前記表示部を前記基準面に向けて弾性的に押圧する押圧部を有しているファインダ装置。
（４）  上記（３）に記載のファインダ装置であって、前記表示部は、前記押圧部が接触する側に着脱可能なカバー部材を有しており、前記カバー部材の表面に粘着層が設けられているファインダ装置。
（５）  上記（３）又は（４）のファインダ装置であって、前記保持部材と前記カバー部材とが接着固定されているファインダ装置。
【００５１】
また、本明細書には、上記（１）から（５）のいずれか一つのファインダ装置と、前記第１の光学系の視野とほぼ等しい範囲の画像を撮像する撮像部と、を備え、前記表示部は、前記撮像部によって撮像された画像を表示可能であるカメラが開示されている。
【００５２】
また、本明細書には、上記（１）のファインダ装置の調整方法であって、被写体を前記第１の光学系によって観察すると共に、前記第１の光学系によって観察される光学像に対応する画像を表示部に表示して前記光学像に前記画像を重畳させ、前記画像にあらわれる前記被写体が前記光学像にあらわれる前記被写体に重畳一致するように、前記第２の光学系の光軸に対する前記表示部の位置及び姿勢を調整し、調整された前記表示部を前記ファインダ装置に固定するファインダ装置の調整方法が開示されている。
【００５３】
また、本明細書には、上記のカメラの調整方法であって、被写体を前記撮像部によって撮像し、撮像時における前記カメラと前記被写体との位置関係のもとで前記被写体を前記第１の光学系によって観察すると共に、撮像して得られた画像を前記表示部に表示して、前記第１の光学系によって観察される光学像に前記画像を重畳させ、前記画像にあらわれる前記被写体が前記光学像にあらわれる前記被写体に重畳一致するように、前記第２の光学系の光軸に対する前記表示部の位置及び姿勢を調整し、調整された前記表示部を前記ファインダ装置に固定するカメラの調整方法が開示されている。
【符号の説明】
【００５４】
１     カメラ
２     撮像部
３     ファインダ装置
４     操作部
５     制御部
２０   第１の光学系
２１   液晶ディスプレイ（表示部）
２２   第２の光学系
２４   カバー部材
２５   粘着層
３０   対物レンズ
３１   視度調整レンズ
３２   接眼レンズ
３３   ターゲットレンズ
３４   ハーフミラー
４０   ケース
４２   支持部
４３   保持部材
４５   押圧部
４８   底部
４８Ａ 基準面
８０   被写体
８１   光学像にあらわれる被写体
８２   表示画像にあらわれる被写体
【図１】
2014077812.tif 000003
【図２】
2014077812.tif 000004
【図３】
2014077812.tif 000005
【図４】
2014077812.tif 000006
【図５】
2014077812.tif 000007
【図６】
2014077812.tif 000008
【図７】
2014077812.tif 000009
【図８】
2014077812.tif 000010